(57)【要約】      （修正有）【課題】安価で、穴詰りせず、専用機械では無く広範囲の用途に変更できる粒揃選別機が必要とされていた。【解決手段】果実の自転軸の向きを変更し対象物の太さが大幅に変更されてもユーザーの手で簡単に対応可能な構造で装置占有面積を大幅に小さくし、作業場を広く利用できる構造とした。専用機械では無く、広範囲の粒揃選別機にした。果実の重力はカムに対しては０％もう１方のローラーには１００％に近い程、最良であり、ローラーの大きさを充分に取り果実外径の１０倍以上が望ましい。カムはローラーの頂上回転方向に対し其の前３０から４５度位が理想的、レ形溝にローラーが果実の自重を斜め上に持ち上げる様、ローラーを運転すると果実は串刺し状態のまま自然に回転し、この装置の下坂を安息角の低い方に自転して移動し、隙間が広く成った位置で小さい果実から順にカムを潜り抜け、ローラー表面を転がり次工程に移動し容器に誘導され選別作業は完了する。【選択図】図１
2018122286.tif 000002
【特許請求の範囲】
【請求項１】
ローラーの表面ななめ上に扇状に畝板（以下カムと称する）を設置し、其処に球形対象物（以下果実と称する）を搭載し之を回転せしめると果実は串刺し状態のまま  ローラーの表面カムの位置で其の週速度が同様でこれも回転する、此の時果実の自転軸がドラムとカムの構成する扇状の中心線と向きが同一である、隣り合わせに搭載された果実は其の大きさに関係なく串刺し状態のまま自然に回転する、
此のローラーとカムの隙間を扇形にし、其の開いた方向を低くして（以下安息角と称する）此処に果実を搭載しローラーで之を持ち上げるように運転すると果実は前述の如く回転しながら安息角の低い方向に移動し隙間が広く成った位置で果実はカムの下をくぐり抜け解放される、
本発明は  この原理を球形対象物の粒揃選別機に採用した。
【請求項２】
（図１・５）に見る如く柔らかい毛布等をローラーに巻きつく様に設置された状態で運転すれば、カムの下をくぐり抜けた対象物は極めて自然に之に乗り上げ、この選別機構では選別後落下せしめる事を無くして次の工程に移動せしめる、敷き物の設置法。
【請求項３】
前項の球形対象物は其の状態のままで伸縮折り曲げ自在な誘導管により、任意の位置に誘導可能とした装置。
【発明の詳細な説明】
【技術分野】
【０００１】本願発明は例えばミカンや梅の様な球形農産物の大きさをそれぞれの規格ごとに同一機械のカムの変化であらゆる大きさの対象物の粒揃選別を実施する装置。【０００２】極めて丁寧さを求められる果実の選別に於いて、落下工程の無い選別が求められ此の問題の解決を謀った。
【背景技術】
【０００３】従来から、例えば柑橘類のような果実の大きさを揃えるための選別機があるが、この種の選別機は選別台に選別すべきサイズ（Ｓ，Ｍ，Ｌ，ＬＬ等）に対応した大きさの各種の選別穴を開けた（板又はドラム）を小さいものから順に並設しておき、その選別器の穴を通過せしめ、果実を小さいものから順に各サズ毎に選別し得るようにしているが、此の場合この工程では、次の工程に移動するたびに必ず、落下工程が介在する事を重大な欠陥とした。【０００４】従来の穴空きドラムに依る選別機は、其の構造が一定の規格に固定されている為、果実の種類が変更されたら、装置一式を作り直すか  或いは専門業者の手による大幅な改造工事が必要であった、本件は之も重大な欠陥とした。
【発明の概要】
【発明が解決しようとする課題】
【０００５】より安価で穴詰りして性能を害する恐れの無い、又専用機械では無く広範囲の用途に変更できる構造を目指した。【０００６】林檎や梨の如く極めて傷みやすい果実は選別穴を通過する時、程度の差は有るものの、其の時必ず段差を落下する工程が有る、従って此の時  果実が傷つく恐れが有った、本発明では（請求項２・３）の構造を併設する事により解決を得た。【０００７】この時カムの高さを上下方向に調整する事で変更を可能とし、対象物の規格を大幅に変更できる構造故、あらゆる種類の選別が之１台で可能となった。（図６・７）【０００８】（図１・６）に見る如く柔らかい毛布の様な敷物をローラーに巻きつくやう設置し  カムの下をくぐり抜けた果実を之で受け止め（請求項２・３）の誘導装置で其の大きさ毎の容器に収納し、選別作業を終了する構造とした。
【各部品に采色した部品の名称】
【０００９】〔０１〕グレー  ＝ローラー
〔０２〕  黒    ＝カム
〔０３〕  黄色  ＝誘導装置
〔０４〕  赤色  ＝球形対象物
〔０５〕無着色  ＝集納容器
【課題を解決するための手段】
【００１０】本発明は（図  １・２）に見る如く回転するドラムの上死点前に設置したレ形の溝に果実を搭載し、（図  ２・７）に見る如く扇状の開いた方向が下り坂（安息角約１０％程度）に設置し、ローラーで果実を持ち上げるように運転すると、此処に搭載された果実も其の週速度が同じで転がり、串刺し状態のまま低い方に移動し小さい物から順にカムの下をくぐり抜け、ローラーの回転に逆らい転げ出して（図１・６）に見る如く柔らかい敷物（毛布等請求項２）に乗り上げ（請求項３）により任意の位置に誘導され果実は、それぞれのサイズ毎の容器に初期の目的通り収納され作業目的を完了する。
尚、請求項３の部品は、伸縮折り曲げ自在のアルミ製の管が市販品としてホームセンター等で販売されている、利用に当たっては充分な大きさの物を選択し内側に柔らかな毛布等を張り付けて利用すれば満足。
【００１１】本発明の最大の特長は、専用機械では無く、球形の物すべてに対応できる構造をめざし、（ローラーとカム）の隙間を変更する事であらゆる大きさの対象物に対応できる構造となした。
【００１２】（図３・４）の如き構造はカムの中心線に対し其の対象物の自転軸が直交して居るため串状に搭載されると互いに制動され実用機械では機能しない。
ただし、この片方を矢印方向に引き上げる行為（図５）を実施すれば、其処に搭載された球形対象物の自転軸が９０度変化する事を発見し、
一方をローラーに替えもう一方をカムとして構成したのが本発明の原理と成っております、此の表現を解りやすくするために各部品を図面上で・グレー・黒・黄・赤で着色した処ようやく此の説明が出来ました。
【発明の効果】
【００１３】従来の選別機はカメラの絞り構造が変化する構造に成って居る装置も有るが（その穴の大きさを変化する様な構造で行って居る）その為、大き過ぎる球形対象物は穴づまり  を起こすことがあり、あらかじめ目測で排除して粒揃えせざるを得なかった、本発明ではこの様な球形対象物でも何等障害無しで最後に放出される（図２・６）に見る通りなんら考慮する必要は無い。
【００１４】専門的な知識が無くてもカムの高さを変更する事で、任意のサイズに調整できる構造である、例えばミカンの選別機を梅の選別機に形態を変更する従来想いもつかない事が極めて容易と成った、
従って機械全体を入れ替える必要は無く、その上極めてコンパクトな省力機と成り、何よりも装置一式の設備費が極端に安価に成る。
【００１５】ミカンだけの外径をミリ単位の大きさ毎、規格外小玉・Ｓ５５ミリ・Ｌ５８ミリ・ＬＬ６１ミリ・規格外小玉・規格外大玉と多種類に分ける、又其の投影図が極端に変形したミカン形の果実はローラーの回転に追随出来ずにローラーの表面に乗せられた状態で、その回転方向に排除され、期待以上の能力も併せ持つ、この機能を求める時はカムの設置角度を上死点にに近ずけ更に運転速度も考慮する事、従って駆動装置は無段変速可能とした。
【００１６】何より、機械一式を入れ替える必要無しで、しかも同じ機械をユーザー自身で自由に種類の変更が出来、従来考えられなかった汎用性のある特徴を持った粒揃選別機とすることが可能。
【図面の簡単な説明】
【００１７】図１及び図２は、本選別機の正面図及び側面図。【００１８】図３・は、普通に考えられる類似した構造の平面図。
図４・は其の正面図。【００１９】図５．はカムとローラーの配置を変更すればこの様に成る。【００２０】図６は図５をローラーに変更した処。【００２１】図７・はカムの構造を階段状に切り詰める事で装置の長さを短縮し装置の長さを短縮し小型化を謀った、図２と同様の作業を可能にした、注  此の場合はローラーとカムは並行に構成した方が良好。【００２２】本発明は対象物の自転軸の向きを変更せしめた事で、本来の目的を達成したものである。
【発明を実施するための形態】
【００２３】たとえば、みかん等の選別に於ける時、その対象物の形状は軸を上に置いた時の投影図が平面図ではほぼ円形で有るが、側面図はやや潰れた楕円形で有る従って、何れの状態で通過するかでバラツキは止むを得ない。
【００２４】カムとローラーの組み立てにおいて、カムの長さを階段状に切り詰め（図７）此の場合カムはローラーに対して並行に構築する方が理想的。
【実施例】
【００２５】従来の設備機械は、少しのレイアウト変更でも設計変更が必要であり、又部品交換も面倒であった。【００２６】本発明では（図１・６・７）に見る通りカムを上下に移動すれば完了、ユーザー自身で簡単に設定変更が可能と成って居る。
【産業上の利用可能性】
【００２７】本発明の欠点は精密な粒揃えには精度に限度が有る（実測の精度は果実の
2018122286.tif 000003
機のローラーとカムの隙間を調整するのみで、たとえばミカンを始め・梨・林檎・梅・金柑等・本機１台で可能、従来夢にも考えられなかった事が、本機では可能と成り得た。【００２８】農家自身で設定変更が可能である為、その設備費が極端に安くなる、粒揃選別機と成し得た。
【符号の説明】
【００２９】１、  グレー色＝ローラー
２、  黒  色  ＝カム
３、  黄色の線＝敷物、（毛布の様な柔らかい肌触りの敷物）
４、  黄  色  ＝誘導管（現物では、アルミ製の市販品）
５、  赤      ＝果実・・（球形の対象物）
６、  色付け無し＝粒揃が完了した、各サイズの容器
【図１】
2018122286.tif 000004
【図２】
2018122286.tif 000005
【図３】
2018122286.tif 000006
【図４】
2018122286.tif 000007
【図５】
2018122286.tif 000008
【図６】
2018122286.tif 000009
【図７】
2018122286.tif 000010